(57)【要約】【課題】繰り返しの使用によっても、把手の抜けを招来し難く、製造コストの上昇を伴わずに外観体裁を良好とする、二本の把手の各両端をケース本体の上端部に縫着する、把手付きケースにおける把手の取付構造の提供。【解決手段】ケース本体の上端部に対して二本の把手の各両端を縫着する把手付きケースにおける把手の取付構造で、ケース本体を構成するケース基材と、把手を構成する把手基材と、前記ケース基材若しくは把手基材を被覆する被覆材とを備え、ケース基材の外面側、内面側及び端面側を把手基材で被覆し、把手基材とケース基材を縫合糸で連通して縫着してなる結合条部を備え、把手基材上に被覆材を設けた把手付きケースにおける把手の取付構造を解決手段とする。【選択図】図１
2010246659.tif 000002
【特許請求の範囲】
【請求項１】
ケース本体の上端部に対して二本の把手の各両端を縫着する把手付きケースにおける把手の取付構造において、ケース本体を構成するケース基材と、把手を構成する把手基材と、前記ケース基材若しくは把手基材を被覆する被覆材とを備え、ケース基材の外面側、内面側及び端面側を把手基材で被覆し、少なくとも把手基材とケース基材を縫合糸で連通して縫着してなる結合条部を備えた構成とし、把手基材上に被覆材を設けたことを特徴とする把手付きケースにおける把手の取付構造。
【請求項２】
上端及び左右側端をスライドファスナーにより開閉可能とした把手付きケースにおけるケース本体の上端部に対して二本の把手の各両端を縫着する把手の取付構造において、
スライドファスナーはスライドファスナーレールとファスナー生地を有し、縫合糸で連通される結合条部にはファスナー生地を含み、結合条部より外側にスライドファスナーレールを配置して、結合条部の少なくとも一部をスライドファスナーで被覆したことを特徴とする請求項１記載の把手付きケースにおける把手の取付構造。
【請求項３】
上端及び左右側端をスライドファスナーにより開閉可能とした把手付きケースにおけるケース本体の上端部に対して二本の把手の各両端を縫着する把手の取付構造において、
結合条部内で把手基材に当接して内側樹脂帯を配置し、該結合条部内で把手基材と内側樹脂帯は縫合糸で連通される構成とし、
結合条部より外側にスライドファスナーレールを配置して、結合条部の少なくとも一部をスライドファスナーで被覆したことを特徴とする請求項２記載の把手付きケースにおける把手の取付構造。
【請求項４】
上端及び左右側端をスライドファスナーにより開閉可能とした把手付きケースにおけるケース本体の上端部に対して二本の把手の各両端を縫着する把手の取付構造において、
縫合糸で連通される結合条部は、外側樹脂帯、内側樹脂帯を含み、ケース基材の内面側に内側樹脂帯を配置して、把手基材の外面側に外側樹脂帯を配置し、内側樹脂帯と外側樹脂帯で把手基材とケース基材を挟持した構成とし、
結合条部より外側にスライドファスナーレールを配置して、結合条部の少なくとも一部をスライドファスナーで被覆したことを特徴とする請求項２記載の把手付きケースにおける把手の取付構造。
【請求項５】
請求項１、２、３又は４記載の把手の取付構造を備えた把手付きケース。
【発明の詳細な説明】
【技術分野】
【０００１】
本発明は、把手付きケース（鞄類を含む。）に対する把手の取付構造に関し、特には、ケース本体の上端部に対して二本の把手の各両端を縫着してなる把手付きケースにおける把手の取付構造と、その取付構造を有する把手付きケースに関する。
【背景技術】
【０００２】
従来、把手付きケースのデザイン、機能、製造コスト等種々の要件に応じた様々な把手とその取付構造が公知である。このような把手と取付構造において、比較的低コストで実現できるものとして、把手基材を細く折り畳んで（必要に応じて、内部にゴムや柔軟材料等を挟み込んで）形成される二本の把手の各両端をケース本体の上端部に縫着する把手の取付構造が公知である。
【０００３】
このような把手の取付構造を有する把手付きケースとしては、例えば、正面部材と背面部材が底面で連結されており、かばん本体の側面は開閉手段により閉じられるかばんにおいて、正面部材の内面上部と背面部材の内面上部に両端が固着される緩衝シートを設け、該緩衝シートが折り返される下端とかばん本体の底面との間に空間を有することを特徴とし、緩衝シートは伸縮性をもち、両端部に縁部を有するものであり、鞄本体の背面部材には滑り止め素材が設けられ、かばん本体の正面部材及び背面部材の各上部に、把手を備えたノートパソコン用収納かばん（例えば、特許文献１参照。）が公知である。
【０００４】
また、他の例として、例えば、周縁に直角状に折れ曲がる方形枠状の立壁部を、一体連設してなる合成樹脂製の箱体を芯材となし、該芯材の内面側にクッション材と内張生地材とを、外面側に外張生地材を配設し、芯材の開口縁に沿ってこれらを共に縫合してカバン本体を構成し、該カバン本体の一辺には、可曲性連結材で蓋体の一辺をヒンジ連結し、他の三辺とカバン本体の三辺とには、相互に係合を着脱できる一連のスライドファスナー条を取り付け、該蓋体は、合成樹脂製の芯材を有し、内面にクッション材と内張生地材とを、外面側には外張生地材を配設し、把手の両端をスライドファスナー条とともにカバン本体又は蓋体に縫合してなるカバン（例えば、特許文献２参照。）が公知である。
【先行技術文献】
【特許文献】
【０００５】
【特許文献１】特開２００３−２３０４１７号公報  図１、図２
【特許文献２】特開２００２−３５５１１０号公報  図１
【発明の概要】
【発明が解決しようとする課題】
【０００６】
上記特許文献１の図１及び図２には、把手を直接生地に縫着する取付構造が開示されている。当該構成によれば、把手を取着した面の反対側に縫着糸が露呈するため、そのままでは非常に体裁が悪い欠点がある。
このような体裁の悪さを解消するために、露呈した縫着糸を別の布で被覆することが行われるが、体裁を繕うためだけに、製造に余計な時間とコストを要する欠点がある。
【０００７】
一方、特許文献２に係る発明に開示される把手の取付構造は、把手の両端をスライドファスナー条とともにカバン本体又は蓋体に縫合するものであり、外観上縫着糸が露呈することがない点で特許文献１に開示される取付構造と比較して優れる。
【０００８】
しかしながら、重量物をカバン内に収納すると、使用時に相当の負荷が把手の縫着部分にかかるため、把手の両端をスライドファスナー条とともにカバン本体又は蓋体に縫合する構成は、繰り返しの使用によって、把手が抜けることがあり、問題であった。この問題を解決するための手段として同特許文献２には、鋲着等による取付構造が例示されているが、当該構成によれば、特許文献１と同様に体裁が悪くなり、製造に余計な時間とコストを要する欠点がある。
【０００９】
本発明は以上の事情に鑑みてなされたものであり、繰り返しの使用によっても、把手の抜けを招来し難く、製造コストの上昇を伴わずに外観体裁を良好とする、二本の把手の各両端をケース本体の上端部に縫着する、把手付きケースにおける把手の取付構造の提供を、発明が解決しようとする課題とする。
【課題を解決するための手段】
【００１０】
第一の発明として、ケース本体の上端部に対して二本の把手の各両端を縫着する把手付きケースにおける把手の取付構造において、ケース本体を構成するケース基材と、把手を構成する把手基材と、前記ケース基材若しくは把手基材を被覆する被覆材とを備え、ケース基材の外面側、内面側及び端面側を把手基材で被覆し、少なくとも把手基材とケース基材を縫合糸で連通して縫着してなる結合条部を備えた構成とし、把手基材上に被覆材を設けたことを特徴とする把手付きケースにおける把手の取付構造を、課題を解決するための手段とする。
尚、「ケース基材の外面側、内面側及び端面側を把手基材で被覆し、」とは、直接ケース基材の外面、内面及び端面に把手基材を当接させて被覆することのみならず、ケース基材と把手基材との間に他の部材を介在させた上で把手基材で被覆する構成を含む趣旨である。
【００１１】
また、第二の発明として、上記第一の発明につき、上端及び左右側端をスライドファスナーにより開閉可能とした把手付きケースにおけるケース本体の上端部に対して二本の把手の各両端を縫着する把手の取付構造において、スライドファスナーはスライドファスナーレールとファスナー生地を有し、縫合糸で連通される結合条部にはファスナー生地を含み、結合条部より外側にスライドファスナーレールを配置して、結合条部の少なくとも一部をスライドファスナーで被覆したことを特徴とする把手付きケースにおける把手の取付構造を、課題を解決するための手段とする。
【００１２】
また、第三の発明として、上記第二の発明につき、上端及び左右側端をスライドファスナーにより開閉可能とした把手付きケースにおけるケース本体の上端部に対して二本の把手の各両端を縫着する把手の取付構造において、結合条部内で把手基材に当接して内側樹脂帯を配置し、該結合条部内で把手基材と内側樹脂帯は縫合糸で連通される構成とし、結合条部より外側にスライドファスナーレールを配置して、結合条部の少なくとも一部をスライドファスナーで被覆したことを特徴とする把手付きケースにおける把手の取付構造を、課題を解決するための手段とする。
【００１３】
また、第四の発明として、上記第二の発明につき、上端及び左右側端をスライドファスナーにより開閉可能とした把手付きケースにおけるケース本体の上端部に対して二本の把手の各両端を縫着する把手の取付構造において、縫合糸で連通される結合条部は、外側樹脂帯、内側樹脂帯を含み、ケース基材の内面側に内側樹脂帯を配置して、把手基材の外面側に外側樹脂帯を配置し、内側樹脂帯と外側樹脂帯で把手基材とケース基材を挟持した構成とし、結合条部より外側にスライドファスナーレールを配置して、結合条部の少なくとも一部をスライドファスナーで被覆したことを特徴とする把手付きケースにおける把手の取付構造を、課題を解決するための手段とする。
【００１４】
また、第四の発明として、上記第一、第二、第三又は第四の発明に係る把手付きケースの取付構造を有する把手付きケースを、課題を解決するための手段とする。
【発明の効果】
【００１５】
請求項１に係る発明によれば、ケース本体の上端部に対して二本の把手の各両端を縫着する把手付きケースにおける把手の取付構造において、ケース本体を構成するケース基材と、把手を構成する把手基材と、前記ケース基材若しくは把手基材を被覆する被覆材とを備え、ケース基材の外面側、内面側及び端面側を把手基材で被覆し、少なくとも把手基材とケース基材を縫合糸で連通して縫着してなる結合条部を備えた構成とし、把手基材上に被覆材を設けたことから、前記結合条部内で、把手基材が、ケース基材の外面側、端面側、内面側に配置されてケース基材を取り囲んだ状態として縫着糸により一体に固着されるため、ケース基材から把手基材が外れることがなく、従来のような把手の抜けを生じることがない。そして、被覆された結合条部がケースの縁部に渡って形成されるのみで、体裁を非常に良好とすることができる。
【００１６】
請求項２に係る発明によれば、請求項１に係る発明の構成を備えた上で、上端及び左右側端をスライドファスナーにより開閉可能とした把手付きケースにおけるケース本体の上端部に対して二本の把手の各両端を縫着する把手の取付構造において、スライドファスナーはスライドファスナーレールとファスナー生地を有し、縫合糸で連通される結合条部にはファスナー生地を含み、結合条部より外側にスライドファスナーレールを配置して、結合条部の少なくとも一部をスライドファスナーで被覆したことから、請求項１における把手の抜け防止効果を奏するものとした上で、結合条部の外側にスライドファスナーテープが配置され、結合条部がスライドファスナーテープに略隠された状態となって、外観体裁を向上させることができる。
【００１７】
請求項３に係る発明によれば、上記請求項２に係る発明の構成を備えた上で、上端及び左右側端をスライドファスナーにより開閉可能とした把手付きケースにおけるケース本体の上端部に対して二本の把手の各両端を縫着する把手の取付構造において、結合条部内で把手基材に当接して内側樹脂帯を配置し、該結合条部内で把手基材と内側樹脂帯は縫合糸で連通される構成とし、結合条部より外側にスライドファスナーレールを配置して、結合条部の少なくとも一部をスライドファスナーで被覆したことから、上記請求項２における把手の抜け防止効果を奏し、且つ、結合条部の外側にスライドファスナーテープが配置されて結合条部がスライドファスナーテープに略隠された状態となり外観体裁を向上させることができるものとした上で、結合条部内で把手基材に当接して内側樹脂帯を配置し、該結合条部内で把手基材と内側樹脂帯は縫合糸で連通される構成によって、結合条部は、より強固な結合力を発揮し、把手の抜けをより確実に防止することができるとともに、結合条部自体の強度を高め、把手付きケースの強度を高めることができる。
【００１８】
請求項４に係る発明によれば、上端及び左右側端をスライドファスナーにより開閉可能とした把手付きケースにおけるケース本体の上端部に対して二本の把手の各両端を縫着する把手の取付構造において、縫合糸で連通される結合条部は、外側樹脂帯、内側樹脂帯を含み、ケース基材の内面側に内側樹脂帯を配置して、把手基材の外面側に外側樹脂帯を配置し、内側樹脂帯と外側樹脂帯で把手基材とケース基材を挟持した構成とし、結合条部より外側にスライドファスナーレールを配置して、結合条部の少なくとも一部をスライドファスナーで被覆したから、上記請求項２における把手の抜け防止効果及び外観体裁の向上を図ることができる上に、外側樹脂帯及び内側樹脂帯が結合条部の一部として機能して、結合条部に強固な補強効果を付与することができ、外側樹脂帯と内側樹脂帯でケース基材と把手基材を挟持した構成と、外側樹脂帯と内側樹脂帯が結合条部の一部として連通縫着されることによって、より強固な結合力を発揮し、把手の抜けをより確実に防止することができる。
【００１９】
請求項５に係る発明によれば、上記各把手の取付構造によって、強固で優れた外観体裁を有する把手付きケースの提供を行うことができる。
【符号の説明】
【００２０】
１      把手付きケース
２      ケース本体
２ａ    正面部材
２ｂ    背面部材
２ｃ    底部材
２０    ケース基材
２０ａ  発泡材シート
２０ｂ  合成皮革シート
２０ｃ  合成繊維シート
２１    結合条部
２１ａ  延設部
３      把手
３０    把手基材
３０ａ  合成樹脂シート
３０ｂ  裏地シート
３１    把持部
５      スライドファスナーテープ
５０    ファスナー生地
５１    ファスナーレール
５１ａ  務歯
５２    スライダ
５３    引き手
６      縫合糸
７      被覆生地
８      外側樹脂帯
８０    平板部
８１    抜止部
８２    テープ案内面
９      内側樹脂帯
【図面の簡単な説明】
【００２１】
【図１】本発明の実施例１に係る把手付きケースを示す斜視図。（実施例１）
【図２】本発明の実施例１に係る把手付きケースのスライドファスナーを開放した状態を示す斜視図。（実施例１）
【図３】本発明の実施例１に係るケース基材に対して把手基材と被覆テープを取着する前の状態を示す組立説明斜視図。（実施例１）
【図４】本発明の実施例１に係るケース基材に対して把手基材と被覆テープを取着した取付構造を示す斜視図。（実施例１）
【図５】本発明の実施例１に係るケース本体に対する把手の取付構造を示す縦断面説明図。（実施例１）
【図６】本発明の実施例１に係る把手付きケースの内部を示す展開図。（実施例１）
【図７】本発明の実施例２に係るケース基材に対して把手基材と被覆テープを取着する前の状態を示す組立説明斜視図。（実施例２）
【図８】本発明の実施例２に係るケース基材に対して把手基材と被覆テープを取着した取付構造を示す斜視図。（実施例２）
【図９】本発明の実施例２に係るケース本体に対する把手の取付構造を示す縦断面説明図。（実施例２）
【図１０】本発明の実施例３に係る把手付きケースを示す斜視図。（実施例３）
【図１１】本発明の実施例３に係る把手付きケースのスライドファスナーを開放した状態を示す斜視図。（実施例３）
【図１２】ケース基材に対して把手基材と被覆テープを取着する前の状態を示す組立説明斜視図。（実施例３）
【図１３】ケース基材に対して把手基材と被覆テープを取着した取付構造を示す斜視図。（実施例３）
【図１４】本発明の実施例３に係るケース本体に対する把手の取付構造を示す縦断面説明図。（実施例３）
【発明を実施するための形態】
【００２２】
本発明は、上端及び左右側端をスライドファスナーにより開閉可能とした把手付きケースにおけるケース本体の上端部に対して二本の把手の各両端を縫着する把手の取付構造において、ケース本体を構成するケース基材と、把手を構成する把手基材と、内側樹脂帯と、少なくとも前記ケース基材若しくは把手基材を被覆する被覆材とを備え、ケース基材の外面側、内面側及び端面側を把手基材で被覆し、少なくとも把手基材とケース基材を縫合糸で連通して縫着してなる結合条部を備え、把手基材、ケース基材、内側樹脂帯、スライドファスナーテープを縫合糸で連通して縫着した構成としたことで、前記結合条部内で、把手基材が、ケース基材の外面側、端面側、内面側に配置されてケース基材を取り囲んだ状態として縫着糸により一体に固着され、且つ、内側樹脂帯によって結合条部をより一層強固とすることができるから、把手の抜けを確実に防止することができる、優れた把手付きケースにおける把手の取付構造を実現した。
【実施例１】
【００２３】
（全体構成）
本発明の実施例１に係る把手付きケース１（図１及び図２参照。）における把手３の取付構造は、ケースの正面側と背面側において構成する。本実施例１における把手３の取付構造は、基本構成として、把手３とケース本体２とスライドファスナーテープ５と縫合糸６と被覆生地７とを備える。
【００２４】
本実施例１におけるケース本体２は、正面部材２ａと背面部材２ｂを下端で底部材２ｃによって連結し、上端、左右側端、及び下端の両端部分の夫々に、連続してスライドファスナーであるスライドファスナーテープ５を設けることにより、当該スライドファスナーテープ５を設けた部分が開閉自在となる構成である。
【００２５】
前記正面部材２ａ及び背面部材２ｂは略対称であり、いずれもケース基材２０によって形成してある。
本実施例におけるケース基材２０は三層からなり、発泡材シート２０ａと、その表面を被覆する合成皮革シート２０ｂと、前記発泡材シート２０ａの裏面を被覆する合成繊維シート２０ｃとで構成してある。
【００２６】
把手３は、合成皮革シート３０ａを二重に折曲して裏地シート３０ｂを重合した把手基材３０を用い、その中央の把持部３１となる位置のみ更に長手に渡って二つ折りして縫合し、指を掛け易い形状としてある。このため、ケース基材２０に取着する両端は、二重の合成樹脂シート３０ａと裏地シート３０ｂが重合したものとなる。
【００２７】
スライドファスナーテープ５はファスナー生地５０の一端にファスナーレール５１を備え、正面部材２ａ側及び背面部材２ｂ側で一対をなし、これらは引き手５３を有するスライダ５２によって係脱可能となる。ファスナーレール５１は本実施例１では務歯５１ａ列からなるものとしている。
【００２８】
本実施例１に係る把手付きケース１における把手３の取付構造は、図３及び図４に示すように、ケース基材２０の外面側（即ち、合成皮革シート２０ｂ側）から把手３が外部に出るように、前記ケース基材２０の内面側、端面側、外面側を把手基材３０で被覆し、主としてケース基材２０の端面側に対応する位置を被覆するように、把手基材３０上から被覆生地７を重合する。被覆生地７は外観体裁を良好とするためにその端部を二つ折りした状態で重合してある。更に、外面側からスライドファスナーテープ５におけるファスナー生地５０を被覆生地７と把手基材３０との間に介在させる。
この状態で、被覆生地７と、スライドファスナーテープ５のファスナー生地５０と、把手基材３０と、ケース基材２０とを全て縫合糸６で貫いて、結合条部２１を形成する。この状態において、結合条部２１の外側にスライドファスナーテープ５が配置されることとなる。
【００２９】
以上の構成によって、図３及び図４に示すように、把手基材３０がケース基材２０の内面側、端面側、外面側を巻き込んで折返すように配置され、ケース基材２０とともに連通縫合され、強固な結合条部２１を形成するため、非常に強固な取着となる。そして、スライドファスナーテープ５のファスナー生地５０が結合条部２１の一部として縫合されることで、図５に示すように、把手付きケース１において、把手基材３０とケース基材２０の間が開いた状態で配置されるため、スライドファスナーレール５１が自然に結合条部２１を被覆するため、把手３の取付による縫合部分が外部に露呈することがない。
【００３０】
以上の正面部材２ａ側及び背面部材２ｂ側における把手３の取付構造によって、図５に示すように、把手３を非常に強固に連結した結合条部２１がスライドファスナーテープ５によって略隠された状態で、実現される。
【００３１】
また、図６の把手付きケースの内部を示す展開図に示すように、結合条部２１は、スライドファスナーテープ５の内側で且つ把手付きケース１の上縁、左右縁及び底縁に沿って連続する延設部２１ａを枠状に形成することで、把手付きケース１の強度を高めることができる。
【実施例２】
【００３２】
次に、本発明の実施例２に係る把手付ケースに対する把手の取付構造は、上記実施例１と外観は同一（図１及び図２参照。）となる構成であるが、内部構造において相違するものである。即ち、本発明の実施例２に係る把手付きケース１における把手３の取付構造は、把手３とケース本体２とスライドファスナーテープ５と縫合糸６と被覆生地７に加えて、内側樹脂帯９を有する。追加した内側樹脂帯９によって、把手３の抜けに対する強度を高めるだけでなく、ケース本体２の強度を高めることができる。
【００３３】
内側樹脂帯９は、図７に示すように、厚さ１ｍｍ程度、高さ６ｍｍ程度となるポリウレタン製の帯状体である。
【００３４】
本実施例２に係る把手付きケース１における把手３の取付構造は、実施例１と同様に、ケース基材２０の外面側（即ち、合成皮革シート２０ｂ側）から把手３が外部に出る構成とする。
【００３５】
本実施例２に係る取付構造は、図７乃至図９に示すように、ケース基材２０の内面側の上端に沿って内側樹脂帯９を配置する。挟持された把手基材３０の先端側をケース基材２０の上端面と内側樹脂帯９の上端面に沿わせ、内側樹脂帯９を巻き込んで配置する。即ち、ケース基材２０の内面と当接する把手基材３０との間に内側樹脂帯９を設ける。さらにその上から被覆生地７を重合し、被覆生地７と把手基材３０との間にスライドファスナーテープ５のテープ生地５０を挟み込み、被覆生地７、把手基材３０、内側樹脂帯９、ケース基材２０を、縫合糸６で連通縫着し、結合条部２１を形成した構成とする。
【００３６】
本実施例２においては、実施例１と同様に、把手基材３０がケース基材２０の内面側、端面側、外面側を巻き込んで折返すように配置され、ケース基材２０とともに連通縫合され、強固な結合条部２１を形成するため、非常に強固な取着となる。そして、把手３の抜けをより確実に防止することができる。
【００３７】
また、実施例１と同様に、スライドファスナーテープ５のファスナー生地５０が結合条部２１の一部として縫合されることで、把手付きケース１において、把手基材３０とケース基材２０の間が開いた状態で配置されるため、スライドファスナーレール５１が自然に結合条部２１を被覆するため、把手３の取付による縫合部分が外部に露呈することがなく非常に外観体裁のよい状態で実現され、結合条部２１内に内側樹脂帯９を備えることで、結合条部２１自体の強度を高め、把手付きケース１の強度を高めることができる。
【実施例３】
【００３８】
図１０及び図１１に示す、本発明の実施例３に係る把手付きケース１における把手３の取付構造は、上記実施例２の構成、即ち、把手３とケース本体２とスライドファスナーテープ５と縫合糸６と被覆生地７に加えて、更に、外側樹脂帯８を有する。追加した外側樹脂帯８と、実施例２でも用いた内側樹脂帯９による挟持構造によって、把手３の抜けに対する強度を高め、ケース本体２の強度を高めることができる。
【００３９】
本実施例３においては、ケース本体２の基本構成、ケース基材２０の構成、把手３及び把手基材３０の構成、スライドファスナーテープ５、縫合糸６等、追加した内側樹脂帯９以外の構成については、実施例２の構成と同様の構成としている。
【００４０】
外側樹脂帯８は、ポリウレタン製の帯状体であり、図１２に示すように、短手断面形状が、上端から概ね五分の三程度は薄い板状の平板部８０として形成してあり、それより下方へ至るほど厚みを増した形状である。厚みを増した部分のうち、ケース本体２側に取着する側を抜止部８１とし、その反対側の面をテープ案内面８２とする。また、外側樹脂帯８の平板部８０の上端側から下方へ切込み８３を設けてある。該切込み８３は長手方向に亘って連続的に形成してある。当該切込みによって、外側樹脂帯８に柔軟性を付与する。
【００４１】
本実施例３に係る把手付きケース１における把手３の取付構造は、ケース基材２０の外面側（即ち、合成皮革シート２０ｂ側）から把手３が外部に出る構成とする点において実施例１及び実施例２と同様である。
【００４２】
本実施例３に係る取付構造は、図１２及び図１３に示すように、外側樹脂帯８の抜止部８１及び平板部８０とケース基材２０の外面側（合成皮革シート２０ｂ側）で把手基材３０を挟持し、ケース基材２０の内面側の上端に沿って内側樹脂帯９を配置する。挟持された把手基材３０の先端側をケース基材２０の上端面と内側樹脂帯９の上端面に沿わせ、内側樹脂帯９を巻き込んで配置する。この状態において、ケース基材２０の内面と当接する把手基材３０との間に内側樹脂帯９を介在して、該内側樹脂帯９と外側樹脂帯８によってケース基材２０及び把手基材３０を挟持した構成となる。
【００４３】
外側樹脂帯８のテープ案内面８２にスライドファスナーテープ５のファスナー生地５０の縁部を長手方向に連続して当接した構成とし、前記ファスナー生地５０の縁部、外側樹脂帯８、把手基材３０、ケース基材２０、内側樹脂帯９を、被覆生地７で被覆し、ファスナー生地５０、外側樹脂帯８、把手基材３０、ケース基材２０、内側樹脂帯９、被覆生地７を縫合糸６で連通縫着し、結合条部２１を形成した構成とする（図１４参照。）。
【００４４】
本実施例３においては、前記実施例１及び実施例２と同様に、把手基材３０がケース基材２０の内面側、端面側、外面側を巻き込んで折返すように配置され、ケース基材２０とともに連通縫合され、強固な結合条部２１を形成するため、非常に強固な取着となる。
【００４５】
そして、外側樹脂帯８と内側樹脂帯９でケース基材２０と把手基材３０を挟持した構成と、外側樹脂帯８と内側樹脂帯９が結合条部２１の一部として連通縫着されることによって、より強固な結合力を発揮し、把手３の抜けをより確実に防止することができる。
また、外側樹脂帯８は平板部８０を備えることによって、縫合糸６の貫通を容易とすることができる。また、外側樹脂帯８の抜止部８１は結合条部２１内において、折返された把手基材３０を押えることで把手基材３０の抜け止め機能を有する。
【００４６】
また、外側樹脂帯８及び内側樹脂帯９が結合条部２１の一部として機能して、結合条部２１に強固な補強効果を付与することができる。
【００４７】
更に、外側樹脂帯８には切込み８３を長手方向に亘って連続的に形成してあることで、外側樹脂帯８に柔軟性を付与し、把手付きケース１の強度、柔軟性、把手３の抜け防止機能を備えた、優れた把手付きケース１を実現できる。
【００４８】
また、本実施例３では、実施例１及び実施例２と同様に、スライドファスナーテープ５のファスナー生地５０が結合条部２１の一部として縫合されることで、把手付きケース１において、把手基材３０とケース基材２０の間が開いた状態で配置されるため、スライドファスナーレール５１が自然に結合条部２１を被覆するため、把手３の取付による縫合部分が外部に露呈することがない効果を有するのであるが、これに加えて、外側樹脂帯８のテープ案内面８２によって、スライドファスナーテープ５は、より容易に、結合条部２１を被覆する構成とすることができる。
【００４９】
以上の正面部材２ａ側及び背面部材２ｂ側における把手３の取付構造によって、図１１に示すように、把手３を非常に強固に連結した結合条部２１がスライドファスナーテープ５によって略隠された状態で、実現される。
【００５０】
以上に、本発明の実施例１、実施例２及び実施例３を示したが、本発明は上記実施例に限定されるものではない。例えば、図示省略するが、正面側、背面側の少なくともいずれかにフラップを有するポケットを設け、フラップの基端側を結合条部２１内に挟持固定することもできる。また、結合条部２１の構成として、外側樹脂帯８を設け、内側樹脂帯９を設けない構成とすることもできる。
【００５１】
また、上記各実施例ではいずれも被覆生地７を併せて縫合糸６で貫通した構成としているが、別の縫合糸を用いて結合条部２１等に縫着することもできる。
【００５２】
また、本発明においては、結合条部２１を含め、適宜各部材の間にホットメルト接着剤を設け加熱処理を行うこと等、種々の接着手段等を適宜設けることができる。当該接着手段を設けることで、更に、各部材の結合力を高めることができる。
【図１】
2010246659.tif 000003
【図２】
2010246659.tif 000004
【図３】
2010246659.tif 000005
【図４】
2010246659.tif 000006
【図５】
2010246659.tif 000007
【図６】
2010246659.tif 000008
【図７】
2010246659.tif 000009
【図８】
2010246659.tif 000010
【図９】
2010246659.tif 000011
【図１０】
2010246659.tif 000012
【図１１】
2010246659.tif 000013
【図１２】
2010246659.tif 000014
【図１３】
2010246659.tif 000015
【図１４】
2010246659.tif 000016